(57)【要約】【課題】２〜３個よりも多くのカップ容器をまとめて保持でき、しかも半分を後で食べるような場合には残ったカップ容器の取扱いを容易としたホルダーを提供すること。【解決手段】上段に並んだカップ容器Ｃの天面を被覆する天面パネル１１と、上段と下段に並んだカップ容器Ｃの側面を被覆する２つの側面パネル１２と、下段に並んだカップ容器Ｃの底部を被覆する底面パネル１３とを有し、折線に沿って側面パネル１２を折り曲げることで上段に並んだ各カップ容器Ｃのフランジを係止するフランジ係止部が設けられ、各側面パネル１２には、上段に並んだ各カップ容器Ｃの横で側面パネル１２を上下に分断するための破断手段１７が設けられている。側面パネル１２を破断手段で上下に分断すると、下段のカップ容器Ｃはバラバラになるが、上段のカップ容器Ｃは天面パネル１１と側面パネル１２の一部により保持されたままの状態を維持する。【選択図】図２
2008114874.tif 000002
【特許請求の範囲】
【請求項１】
一枚の板紙からなり、上段と下段に同じ数だけ並べて重ね合わせてなる複数個のフランジ付きのカップ容器をまとめて保持するためのホルダーであって、上段に並んだカップ容器の天面を被覆する天面パネルと、上段に並んだカップ容器と下段に並んだカップ容器の側面を被覆する側面パネルと、下段に並んだカップ容器の底部を被覆する底面パネルとを有し、天面パネルと側面パネルの境界にある折線のところには、折線に沿って側面パネルを折り曲げることで上段に並んだ各カップ容器のフランジを係止するように構成されたフランジ係止部が設けられ、各側面パネルには、上段に並んだ各カップ容器の横で側面パネルを上下に分断するための破断手段が設けられていることを特徴とするホルダー。
【請求項２】
側面パネルに設ける破断手段が、一対のミシン目で形成される帯状のジッパー部であることを特徴とする請求項１に記載のホルダー。
【請求項３】
側面パネルに設ける破断手段が、一部に切っ掛け部分を区画するように形成されたミシン目線であることを特徴とする請求項１に記載のホルダー。
【発明の詳細な説明】
【技術分野】
【０００１】
本発明は、口部の周縁にフランジを有するカップ容器を複数個まとめて保持するためのホルダーに関するものである。
【背景技術】
【０００２】
従来より、ヨーグルト、プリン、ゼリー等のデザートや、納豆、海草等の食品は、その食べやすさ、保存しやすさなどを考慮して、１食分をカップ容器に入れ、口部の周縁にあるフランジにフィルムをシールした形態のものが販売されている。そして、まとめ買いの便宜を図るため、このカップ容器を２〜３個並べて板紙製からなるスリーブ状のホルダーにより束ねた多連式のものが利用されている。
【特許文献１】実開昭５７−８０４５５号公報
【特許文献２】特開平３−１４８４５９号公報
【発明の開示】
【発明が解決しようとする課題】
【０００３】
ところで、特にスーパーマーケットにおいては、特売やキャンペーンなどに対応した販売形態として、より多くのカップ容器を束ねた形態のものが望まれている。そこで、２〜３個束ねたものを横に２つ並べるか或いは縦に重ねるかして、テープで括ったりシュリンク包装したりすることがある。しかしながら、テープで括ったものは見た目が悪く、シュリンク包装したものは余計な包装材を使うため、コストアップやゴミの増加を招くという問題がある。２〜３個よりも多い数のカップ容器を一枚の保持具で束ねることも考えられるが、保持具を外すと個々のカップ容器がバラバラになり、半分を後で食べるような場合には残ったカップ容器の取扱いが面倒になる。
【０００４】
本発明は、このような事情に鑑みてなされたものであり、その目的とするところは、２〜３個よりも多くのカップ容器をまとめて保持でき、しかも半分を後で食べるような場合には残ったカップ容器の取扱いを容易としたホルダーを提供することにある。
【課題を解決するための手段】
【０００５】
請求項１に記載の発明であるホルダーは、一枚の板紙からなり、上段と下段に同じ数だけ並べて重ね合わせてなる複数個のフランジ付きのカップ容器をまとめて保持するためのホルダーであって、上段に並んだカップ容器の天面を被覆する天面パネルと、上段に並んだカップ容器と下段に並んだカップ容器の側面を被覆する側面パネルと、下段に並んだカップ容器の底部を被覆する底面パネルとを有し、天面パネルと側面パネルの境界にある折線のところには、折線に沿って側面パネルを折り曲げることで上段に並んだ各カップ容器のフランジを係止するように構成されたフランジ係止部が設けられ、各側面パネルには、上段に並んだ各カップ容器の横で側面パネルを上下に分断するための破断手段が設けられていることを特徴としている。
【０００６】
請求項２に記載の発明であるホルダーは、請求項１に記載のホルダーにおいて、側面パネルに設ける破断手段が、一対のミシン目で形成される帯状のジッパー部であることを特徴としている。
【０００７】
請求項３に記載の発明であるホルダーは、請求項１に記載のホルダーにおいて、側面パネルに設ける破断手段が、一部に切っ掛け部分を区画するように形成されたミシン目線であることを特徴としている。
【発明の効果】
【０００８】
本発明のホルダーは、２〜３個よりも多い複数個のカップ容器を上下に重ねた状態でまとめて保持することができるものであり、しかも、消費者が購入後に両方の側面パネルをそれぞれの破断手段で上下に分断すると、下段のカップ容器はバラバラになるが、上段のカップ容器は天面パネルと側面パネルの一部により保持されたままの状態を維持するので、半分を先に食べて残りの半分を後で食べるような場合に、上段のカップ容器を束ねたままの状態で残すことにより取扱いが容易となる。
【発明を実施するための最良の形態】
【０００９】
次に、本発明の実施の形態について図面を参照しながら詳細に説明する。
【００１０】
図１は本発明に係るホルダーの一例を示す平面図、図２は図１に示すホルダーを用いて複数のカップ容器を保持した状態を示す斜視図である。ここで、本発明のホルダーが対象とするカップ容器は、紙製又はプラスチック製で、上部開口に外向きのフランジを有しており、中に食品を入れてそのフランジに蓋としてフィルムをシールしたタイプのものである。
【００１１】
図１のホルダーＨ1 は、図２に示すように、仕切り板１０を間に挟んだ状態で上段と下段にそれぞれ２個ずつ並べて重ね合わせてなる４個のカップ容器Ｃをまとめて保持するために用いられるもので、所定の印刷を施した板紙を打ち抜いて形成されており、上段に並んだ２個のカップ容器Ｃの天面を被覆する天面パネル１１と、天面パネル１１の両サイドにそれぞれ折線ａを介して連設され、上段に並んだカップ容器Ｃと下段に並んだカップ容器Ｃの側面を被覆する２つの側面パネル１２と、各側面パネル１２に折線ｂを介して連設され、一部が重なり合って接続されることで下段に並んだ２個のカップ容器Ｃの底部を被覆する２つの底面パネル１３とからなっている。なお、仕切り板１０は、下段のカップ容器Ｃの蓋を保護するためのもので、蓋としてシールしたフィルムが強ければ省略してもよい。
【００１２】
そして、天面パネル１１と側面パネル１２の境界にある折線ａのところには、カップ容器Ｃのフランジ外縁に対応した円弧状で、その円弧の中央に天面パネル１１の方に突き出た凸部を有する形状の切込み１４が２つずつ形成されており、天面パネル１１の裏側からこの切込み１４のところにカップ容器Ｃのフランジを差し込み、折線ａに沿って側面パネル１２を折り曲げると、フランジの突き出た部分が凸部により下方から突き上げられるようになっている。
【００１３】
また、各側面パネル１２には、下段に並んだ各カップ容器Ｃのフランジが係合するためのスリット状開口１５と各カップ容器Ｃの胴壁の下端部が係合するための釣鐘状開口１６がそれぞれ２箇所に設けられている。そして、各側面パネル１２には、上段に並んだ各カップ容器Ｃの横で側面パネル１２を上下に分断するための破断手段として、一対のミシン目で形成される帯状のジッパー部１７が設けられている。
【００１４】
このホルダーＨ1 により４個のカップ容器Ｃを保持するにあたっては、天面パネル１１と同様なサイズの仕切り板１０を間に挟んだ状態で上段と下段にカップ容器Ｃをそれぞれ２個ずつ並べて重ね合わせる。そして、上段の２個のカップ容器Ｃの上にホルダーＨ1 を載せ、カップ容器Ｃの天面をホルダーＨ1 の天面パネル１１の下面に当接した後、両方の側面パネル１２をそれぞれ折線ａに沿って下方に折り曲げる。すると、カップ容器Ｃのフランジが切込み１４に沿って突き出るとともに、切込み１４に沿って側面パネル１２側から突き出た凸部によりフランジが下方から突き上げられて確りと固定される。
【００１５】
次いで、側面パネル１２におけるスリット状開口１５が下段の２個のカップ容器Ｃのフランジに係合するとともに、釣鐘状開口１６が２個のカップ容器Ｃの下端部に係合するようにし、さらには、両方の底面パネル１３が重なり合って下段に並んだカップ容器Ｃの底部を覆うようにしてホルダーＨ1 で全体を包み込み、底面パネル１３同士をその重なり合う部分で貼り合わせる。この貼り合わせにはホットメルトを使用する。また、底面パネル１３同士を貼着する代わりに、底面パネル１３にロック片を設けて係合するようにしてもよい。
【００１６】
このように、ホルダーＨ1 を用いることで、図２に示す如く、４個のカップ容器Ｃを２個ずつ２段に重ねた状態で保持することができる。そして、図２の状態からカップ容器Ｃを取り出す時は、側面パネル１２にあるジッパー部１７を破り取ればよい。すると、ホルダーＨ1 は両方の側面パネル１２のところで上下に分断され、下段のカップ容器Ｃはバラバラになるが、図３に示すように、上段のカップ容器Ｃは天面パネル１１と側面パネル１２の一部により保持されたままの状態を維持する。したがって、２個ずつ食べるような場合には、上段のカップ容器Ｃを束ねたままの状態で残すことができる。このように使用時には側面パネル１２を上下に分断するが、販売時は正面に大きなディスプレイ面を有しているので、この面を利用して販促効果を挙げることができる。
【００１７】
図４は本発明に係るホルダーの別の例を示す平面図、図５は図４に示すホルダーを用いて複数のカップ容器を保持した状態を示す斜視図である。このホルダーＨ2 は、先に説明したホルダーＨ1 とは側面パネル１２に設ける破断手段が異なるだけでそれ以外の部分は同じ構造である。そのため、同じ部位には同じ符号を付してある。
【００１８】
図４のホルダーＨ2 では、側面パネル１２を上下に分断するための破断手段として、一部に切っ掛け部分１８ａを区画するように形成されたミシン目線１８が設けられている。すなわち、側面パネル１２における天面パネル１１に近いところでかつ２つの切込み１４の間に位置するようにして、真ん中にツナギのある半円状の切込みにより指先大の切っ掛け部分１８ａを区画してあり、その切っ掛け部分１８ａの両端付近から広がるようにして両方の側縁に向けてそれぞれ連続する４つの切込みを形成してある。
【００１９】
このホルダーＨ2 により４個のカップ容器Ｃを保持して図５に示す状態にする手順は前記したのと同様である。そして、図５の状態からカップ容器Ｃを取り出す時は、側面パネル１２にあるミシン目線１８を破断すればよい。すなわち、切っ掛け部分１８ａを指で押して内側に凹ませ、その凹んだところを摘んで引っ張ることで両側縁に向かってミシン目線１８を破断する。すると、ホルダーＨ2 は両方の側面パネル１２のところで上下に分断され、下段のカップ容器Ｃはバラバラになるが、図６に示すように、上段のカップ容器Ｃは天面パネル１１と側面パネル１２の一部により保持されたままの状態を維持する。したがって、２個ずつ食べるような場合には、上段のカップ容器Ｃを束ねたままの状態で残すことができる。
【００２０】
図７は本発明に係るホルダーのさらに別の例を示す平面図、図８は図７に示すホルダーを用いて複数のカップ容器を保持した状態を示す斜視図である。このホルダーＨ3 は、先に説明したホルダーＨ1 とはカップ容器Ｃの係止手段が異なるだけでそれ以外の部分は同じ構造である。そのため、同じ部位には同じ符号を付してある。
【００２１】
図７のホルダーＨ3 では、天面パネル１１と側面パネル１２の境界にある折線ａのところに形成する切込み１４の形状を円弧状ではなく、扁平なコの字状で、そのコの字の中央に天面パネル１１の方に突き出た凸部を有する形状としている。そして、この形状の切込み１４の場合も、天面パネル１１の裏側からカップ容器Ｃのフランジを差し込み、折線ａに沿って側面パネル１２を折り曲げると、フランジの突き出た部分が凸部により下方から突き上げられる。
【００２２】
また、図７のホルダーＨ3 では、下段に並んだ各カップ容器Ｃのフランジが係合するためのスリット状開口１５を省略しており、胴壁の下端部が係合するための釣鐘状開口１６の代わりにＴ字型の切込み１９を設けてある。なお、図の例ではＴ字状の切込み１９を囲むようにして釣鐘状の押罫を設けてあるが、これは設けた方が好ましいが必ずしも必要ではない。
【００２３】
このホルダーＨ3 により４個のカップ容器Ｃを保持して図８に示す状態にする手順は前記したのと同様である。この場合、上段のカップ容器Ｃは、フランジが切込み１４に沿って突き出るとともに、切込み１４に沿って側面パネル１２側から突き出た凸部によりフランジが下方から突き上げられて確りと固定される。また、下段のカップ容器Ｃは、下端部がＴ字型の切込み１９のところを内側から僅かに押し開いた状態で側面パネル１２の下部に係止する。なお、この例では下段のカップ容器Ｃの蓋を保護するための仕切り板１０を省略している。
【００２４】
このように、ホルダーＨ3 を用いることで、図８に示す如く、４個のカップ容器Ｃを２個ずつ２段に重ねた状態で保持することができる。そして、図８の状態からカップ容器Ｃを取り出す時は、図２で説明したのと同様、側面パネル１２にあるジッパー部１７を破り取ればよい。すると、ホルダーＨ3 は両方の側面パネル１２のところで上下に分断され、下段のカップ容器Ｃはバラバラになるが、図９に示すように、上段のカップ容器Ｃは天面パネル１１と側面パネル１２の一部により保持されたままの状態を維持する。したがって、２個ずつ食べるような場合には、上段のカップ容器Ｃを束ねたままの状態で残すことができる。そして、このホルダーＨ3 は、図１のホルダーＨ1 に比べると、下段のカップ容器Ｃのフランジを係合させるためのスリット状開口１５を設けていないので、側面全体を表示面として使用することができる。また、孔加工がないので、小さな打抜きカスを生じることもない。
【００２５】
以上、本発明の実施の形態について詳細に説明してきたが、本発明によるホルダーは、上記実施の形態に何ら限定されるものではなく、本発明の趣旨を逸脱しない範囲において種々の変更が可能であることは当然のことである。
【００２６】
例えば、上記の例では、上段と下段にそれぞれ２個ずつ並べた４個のカップ容器を保持するホルダーを説明したが、本発明のホルダーは、３個ずつ、或いはそれ以上並べたものを保持するタイプについても適用可能である。
【００２７】
また、上記の例では、下段に並んだ各カップ容器のフランジが係合するためのフランジ係合部と各カップ容器の胴壁の下端部が係合するための胴壁係合部の両方を側面パネルに設けたホルダーを説明したが、これらのうちの少なくとも一方が設けられていればよい。さらに、上下の締付けが十分に強ければ、下段のカップ容器は係合しなくてもよいし、他の係合方式を併用しても構わない。また、フランジ係合部と胴壁係合部の形状は上記で説明したものに限らず、適宜の形状のものを採用してもよい。
【００２８】
また、上記の例では、底面パネル同士をその重なり合う部分で貼着するようにしたが、底面パネルに延長片を設けて側面パネルと重なる部分を接続するようにしてもよい。また、底部に糸じり（上げ底）があるようなカップ容器の場合は、底部空間に突片を押し込んで止めるなどの工夫をして底面パネル同士を接続するようにしてもよい。
【図面の簡単な説明】
【００２９】
【図１】本発明に係るホルダーの一例を示す平面図である。
【図２】図１に示すホルダーを用いて複数のカップ容器を保持した状態を示す斜視図である。
【図３】図２の保持状態から側面パネルを破断した後の状態を示す斜視図である。
【図４】本発明に係るホルダーの別の例を示す平面図である。
【図５】図４に示すホルダーを用いて複数のカップ容器を保持した状態を示す斜視図である。
【図６】図５の保持状態から側面パネルを破断した後の状態を示す斜視図である。
【図７】本発明に係るホルダーのさらに別の例を示す平面図である。
【図８】図７に示すホルダーを用いて複数のカップ容器を保持した状態を示す斜視図である。
【図９】図８の保持状態から側面パネルを破断した後の状態を示す斜視図である。
【符号の説明】
【００３０】
Ｃ  カップ容器
Ｈ1 ，Ｈ2 ，Ｈ3   ホルダー
ａ，ｂ  折線
１０  仕切り板
１１  天面パネル
１２  側面パネル
１３  底面パネル
１４  切込み
１５  スリット状開口
１６  釣鐘状開口
１７  ジッパー部
１８  ミシン目線
１８ａ  切っ掛け部分
１９  切込み
【図１】
2008114874.tif 000003
【図２】
2008114874.tif 000004
【図３】
2008114874.tif 000005
【図４】
2008114874.tif 000006
【図５】
2008114874.tif 000007
【図６】
2008114874.tif 000008
【図７】
2008114874.tif 000009
【図８】
2008114874.tif 000010
【図９】
2008114874.tif 000011